(57)【特許請求の範囲】
【請求項１】
パネルを支持する支持部と、
前記支持部に繋がり、吊上手段に連結可能な連結部とを備えたパネル吊具により前記パネルを吊り上げてなるパネル吊り構造であって、
前記パネルは、上端部に位置する上嵌込部および下端部に位置する下嵌込部を有し、
前記支持部は、
前記パネルの厚み方向の一方の面に沿って配置される縦板部と、
前記縦板部の上端部から後方に向かって突出した上片部と、
前記上片部の後端部から下方に向かって突出した上対向片部と、
前記縦板部の下端から後方に向かって突出した下片部と、
前記下片部の後端から上方に向かって突出した下対向片部と、を有し、
前記縦板部の上端部、前記上片部及び前記上対向片部により下方に開口した上凹部が構成され、
前記縦板部の下端部、前記下片部及び前記下対向片部により上方に開口した下凹部が構成され、
前記パネルの上下長さは、前記上嵌込部が前記上凹部に嵌め込まれた際に、前記上片部の下面から前記下対向片部の上端までの上下方向における距離よりも短く、前記上対向片部の下端から前記下対向片部の上端までの上下方向における距離よりも長いことを特徴とするパネル吊り構造。
【請求項２】
前記パネルの前記上端部が、前記上凹部に嵌め込まれ、かつ、前記パネルの前記下端部が、前記下凹部に嵌め込まれた状態において、前記上凹部内で前記パネルの前記上端部に接して、前記パネルが上方に移動することを規制する移動規制部材を備えたことを特徴とする請求項１に記載のパネル吊り構造。
【発明の詳細な説明】
【技術分野】
【０００１】
本発明はパネル吊り構造に関する。
【背景技術】
【０００２】
特許文献１には、サンドイッチパネルを吊り上げるために用いられるパネル吊具が開示されている。前記サンドイッチパネルの上端部には、対向する一対の壁部と、これら一対の壁部の間に位置する溝部とが形成されている。前記パネル吊具は、前記一対の壁部の外側に配置される一対の片部と、前記溝部内に配置される引掛け部と、吊上手段に連結可能な連結部とを有している。前記引掛け部は、前記溝部に出し入れ可能な第一姿勢と、前記一対の壁部に引っ掛かる第二姿勢との間で回転可能である。このパネル吊具は、前記第二姿勢にある前記引掛け部と前記一対の片部とで、前記一対の壁部を挟持することで、前記サンドイッチパネルの上端部に取付けられる。そして、このようにサンドイッチパネルの上端部に取付けられたパネル吊具の連結部に、吊上手段を連結することで、吊上手段を用いてサンドイッチパネルを吊り上げることが可能になる。
【先行技術文献】
【特許文献】
【０００３】
【特許文献１】特開２０１６−１２１４４２号公報
【発明の概要】
【発明が解決しようとする課題】
【０００４】
ところで、前記パネル吊具は、前記引掛け部を回転して、前記引掛け部と前記一対の片部とで、前記一対の壁部を挟み込む必要がある。しかし、このようにサンドイッチパネルを挟み込む構造を採用すると、パネル吊具の構造が複雑になりやすく、また、パネル吊具をサンドイッチパネルに取り付ける作業も煩雑になりやすい。
【０００５】
本発明は前記事情に鑑みてなされたものであって、構造が複雑になり難く、容易にパネルに取り付けることができるパネル吊り構造を提供することを目的とする。
【課題を解決するための手段】
【０００６】
前記目的を達成するために本発明に係る一態様のパネル吊り構造は、パネルを支持する支持部と、前記支持部に繋がり、吊上手段に連結可能な連結部とを備えたパネル吊具により前記パネルを吊り上げてなるパネル吊り構造である。前記パネルは、上端部に位置する上嵌込部および下端部に位置する下嵌込部を有する。前記支持部は、前記パネルの厚み方向の一方の面に沿って配置される縦板部と、前記縦板部の上端部から後方に向かって突出した上片部と、前記上片部の後端部から下方に向かって突出した上対向片部と、前記縦板部の下端から後方に向かって突出した下片部と、前記下片部の後端から上方に向かって突出した下対向片部と、を有する。前記縦板部の上端部、前記上片部及び前記上対向片部により下方に開口した上凹部が構成される。前記縦板部の下端部、前記下片部及び前記下対向片部により上方に開口した下凹部が構成される。前記パネルの上下長さは、前記上嵌込部が前記上凹部に嵌め込まれた際に、前記上片部の下面から前記下対向片部の上端までの上下方向における距離よりも短く、前記上対向片部の下端から前記下対向片部の上端までの上下方向における距離よりも長い。
【発明の効果】
【０００７】
本発明に係るパネル吊り構造は、構造が複雑になり難く、容易にパネルに取り付けることができる。
【図面の簡単な説明】
【０００８】
【図１】図１は、本発明に係る一実施形態のパネル吊具の斜視図である。
【図２】図２は、同上のパネル吊具をパネルに取り付けた状態を示した縦断面図である。
【図３】図３Ａは、図２のＡ部拡大図であり、図３Ｂは、図２のＢ部拡大図である。
【図４】図４Ａ〜図４Ｃは、同上のパネル吊具をパネルに取り付ける様子を順に示した縦断面図である。
【図５】図５は、吊上手段及びパネル吊具を用いてパネルを吊り上げる様子を示した正面図である。
【図６】図６Ａ〜図６Ｅは、変形例１〜５のパネル吊具の下端部の側面図である。
【図７】図７Ａは変形例６のパネル吊具を示し、移動規制部材によりパネルの移動が規制された状態を示した要部側面図であり、図７Ｂは、移動規制部材によるパネルの移動が規制されていない状態を示した要部背面図である。
【図８】図８Ａは、変形例７のパネル吊具の移動規制部材によりパネルの移動が規制された状態を示した要部側面図である。図８Ｂは前記パネル吊具の移動規制部材によるパネルの移動が規制されていない状態を示した要部背面図である。
【図９】図９は、同上のパネル吊具の移動規制部材及び挿通孔を示した平面図である。
【図１０】図１０Ａは、変形例８のパネル吊具の側面図であり、図１０Ｂは比較例のパネル吊具の側面図である。
【図１１】図１１は、変形例９のパネル吊具の上端部を示した正面図である。
【発明を実施するための形態】
【０００９】
以下に示す実施形態は、パネル吊具に関し、詳しくは、吊上手段を用いてパネルを吊り上げる際に用いられるパネル吊具に関する。
【００１０】
図１に本実施形態のパネル吊具１を示す。図２に本実施形態のパネル吊具１をパネル７に取り付けた状態を示す。
【００１１】
（パネル）
図２に示すパネル７は、建築用パネルである。具体的にパネル７は、２枚の金属板７０，７１の間に、芯材７２を介在させたサンドイッチパネルである。
【００１２】
金属板７０，７１は、例えば、アルミニウム、鉄、銅、ステンレス鋼等の各種金属板、アルミニウム−亜鉛合金メッキ鋼板、カラー鋼板、ホーロー鋼板、フッ素樹脂塗装鋼板、クラッド鋼板、サンドイッチ鋼板等のうちの一種を、プレス成形、押出成形、あるいはロール成形等することで成形される。
【００１３】
芯材７２は、例えば、ロックウール、グラスウール、又はセラミックファイバー等の無機繊維体を主材とする板材から構成される。
【００１４】
パネル７は、長方形板状である。パネル７は、横張施工される外壁パネルであり、短手方向を上下方向と平行にした状態で設置される。なお、以下では、パネル７について設置状態における方向を用いて説明する。具体的には、パネル７の短手方向を上下方向とし、パネル７の長手方向を左右方向とし、パネル７の厚み方向を前後方向とする。また、パネル７の屋外側を前方、屋内側を後方とし、パネル７を前方から見たときを基準として左右方向を定義する。パネル７の厚み方向の両側の面のうち、一方の面である前面は、屋外側に臨む表面となり、他方の面である後面は屋内側に臨む裏面となる。
【００１５】
パネル７の上端部には、嵌合部７３が形成されている。パネル７の下端部には、下段のパネル７の嵌合部７３に凹凸嵌合可能な被嵌合部７４が形成されている。
【００１６】
本実施形態の嵌合部７３は、パネル７の上端面に形成された凹部であり、本実施形態の被嵌合部７４は、パネル７の下端面に形成された凸部である。
【００１７】
図３Ａに示すようにパネル７の表面の上端部には、裏面側に凹んだ第１凹段部７５が形成されている。図３Ｂに示すようにパネル７の下端部には、パネル７の表面側端部から下方に向かって突出し、下段のパネル７の第１凹段部７５内に配置される第１突起８１が形成されている。第１突起８１の下端は、被嵌合部（凸部）７４の下面よりも下方に位置している。
【００１８】
図３Ａに示すように、パネル７の裏面の上端部には、表面側に凹んだ第２凹段部７６が形成されている。図３Ｂに示すようにパネル７の下端面の裏面側端部には、下方に向かって突出し、下段のパネル７の第２凹段部７６内に配置される第２突起８２が形成されている。第２突起８２の下端は、被嵌合部（凸部）７４の下面よりも上方に位置している。
【００１９】
パネル７を施工する作業者は、パネル７の被嵌合部７４を下段のパネル７の嵌合部７３に嵌合し、第１突起８１を下段のパネル７の第１凹段部７５内に配置し、かつ第２突起８２を下段のパネル７の第２凹段部７６内に配置する。そして、作業者は、このようにして、下段のパネル７の上方に配置されたパネル７において第１凹段部７５に対応する部分に、屋外側から釘やねじ等の固着具を打ち込み、この固着具を胴縁等の壁下地に打ち込むことで、当該パネル７を壁下地に固定することができる。なお、前記固着具の屋外側は、当該パネル７のさらに上段に施工されたパネル７の第１突起８１によって覆われる。
【００２０】
（パネル吊具）
本実施形態のパネル吊具１は、パネル７を当該パネル７の短手方向が上下方向と略平行となる起立姿勢にした状態で、パネル７を支持する。以下、パネル吊具１について詳述する。
【００２１】
なお、以下では、パネル吊具１を用いてパネル７を吊り上げた状態における方向を用いて、パネル吊具１について説明する。具体的には、図２に示すようにパネル吊具１によって支持されたパネル７の表面が向く方向を前方、当該パネル７の裏面が向く方向を後方とし、パネル吊具１を前方から見たときを基準に左右方向を定義する。
【００２２】
図１及び図２に示すように、パネル吊具１は、パネル７を支持する支持部２と、吊上手段９（図５参照）に連結される連結部５とを備えている。連結部５は支持部２に繋がっている。ここで、連結部５は、支持部２に直接繋がっていてもよいし、他の部材を介して繋がっていてもよい。
【００２３】
本実施形態の支持部２は、金属製であり、一枚の金属板を折曲加工することにより形成されている。
【００２４】
本実施形態の支持部２は、縦板部３０と、縦板部３０と一体に形成された第１片部３１と、縦板部３０と一体に形成された第２片部３２とを有している。
【００２５】
（縦板部）
縦板部３０は、上下方向に長い矩形板状に形成されている。縦板部３０は、図２に示すように、パネル７の厚み方向の一方の面に沿って配置される。本実施形態の縦板部３０は、パネル７の表面に沿って配置される。
【００２６】
縦板部３０の上端部には、下方に向かって開口した上凹部２０が形成されている。上凹部２０は、パネル７の上端部が嵌め込まれる部分である。縦板部３０の下端部には、上方に向かって開口した下凹部２１が形成されている。下凹部２１は、パネル７の下端部が嵌め込まれる部分である。
【００２７】
（第１片部）
縦板部３０の上端には、第１片部３１が連続している。図３Ａに示すように、第１片部３１は、縦板部３０の上端部から後方に向かって突出した上片部３３と、上片部３３の後端部から下方に向かって突出した対向片部３４とを有している。以下、対向片部３４を後述する対向片部３６と区別するため、上対向片部３４という。
【００２８】
上対向片部３４は、縦板部３０の上端部の後面に対向している。支持部２の上端部には、縦板部３０の上端部、上片部３３、及び上対向片部３４により構成され、下方に開口した断面コ字状の凹部が形成されている。本実施形態ではこの凹部により上凹部２０が構成されている。
【００２９】
縦板部３０の上端部は、上凹部２０の前壁部を構成し、縦板部３０の上端部の後面は、上凹部２０の前側の内面を構成する。上対向片部３４は上凹部２０の後壁部を構成し、上対向片部３４の前面は、上凹部２０の後側の内面を構成する。上片部３３は上凹部２０の天井部を構成し、上片部３３の下面は上凹部２０の上側の内面を構成する。
【００３０】
本実施形態の上凹部２０は、縦板部３０の左右方向の全長に亘って形成されており、下方に加えて左右両方向にも開口している。
【００３１】
本実施形態の上凹部２０には、パネル７の上端部における厚み方向の全体の部分が嵌め込まれる。すなわち、本実施形態のパネル７は、上端部における厚み方向の全体の部分が上凹部２０に嵌め込まれる上嵌込部７７となっている。
【００３２】
（第２片部）
縦板部３０の下端には、第２片部３２が連続している。図３Ｂに示すように、第２片部３２は、縦板部３０の下端から後方に向かって突出した断面弧状の下片部３５と、下片部３５の後端から上方に向かって突出した対向片部３６とを有している。以下、対向片部３６を下対向片部３６という。
【００３３】
下片部３５及び下対向片部３６は、例えば縦板部３０を構成する金属板の下端を上方に折り返すことで形成される。
【００３４】
下対向片部３６は、縦板部３０の下端部の後面に対向している。支持部２の下端部には、縦板部３０の下端部と、下片部３５と、下対向片部３６とで構成され、上方に開口した断面Ｕ字状の凹部が形成されている。本実施形態ではこの凹部により、下凹部２１が構成されている。
【００３５】
縦板部３０の下端部は、下凹部２１の前壁部を構成し、縦板部３０の下端部の後面は、下凹部２１の前側の内面を構成する。下対向片部３６は下凹部２１の後壁部を構成し、下対向片部３６の前面は、下凹部２１の後側の内面を構成する。下片部３５は下凹部２１の底部を構成し、下片部３５の上面は下凹部２１の下側の内面を構成する。
【００３６】
下凹部２１の前後の内面の間隔は、上凹部２０の前後の内面の間隔よりも小さい。本実施形態の下凹部２１には、パネル７の下端部に形成された第１突起８１の下端部が嵌め込まれる。すなわち、本実施形態のパネル７は、第１突起８１の下端部が、下凹部２１に嵌め込まれる下嵌込部７８となっている。
【００３７】
図３Ａに示すように、上凹部２０の前後の内面の間隔Ｌ１は、パネル７の上嵌込部７７の厚みｔよりもやや大きい。上対向片部３４は、下対向片部３６よりも後方に位置している。
【００３８】
図２に示すように、上片部３３の下面から下対向片部３６の上端までの上下方向における距離Ｌ２は、パネル７の上下長さＬ３よりも長い。上対向片部３４の下端から、下対向片部３６の上端までの上下方向における距離Ｌ４は、パネル７の上下長さＬ３よりも短い。
【００３９】
支持部２において上凹部２０の下凹部２１に対する位置や上凹部２０の形状等は、パネル７の上嵌込部７７を下方から挿入できるように設定されている。
【００４０】
また、支持部２において上凹部２０の下凹部２１に対する位置や上凹部２０の形状等は、パネル７の上嵌込部７７が上凹部２０に嵌め込まれ、かつパネル７の下嵌込部７８が下凹部２１に嵌め込まれていない状態（図４Ｂ参照）において、上嵌込部７７が上凹部２０に嵌め込まれた状態のまま、下嵌込部７８が下凹部２１に上方から嵌め込むことができるように設定されている（図４Ｃ及び図２参照）。
【００４１】
また、支持部２において上凹部２０の下凹部２１に対する位置や上凹部２０の形状等は、上嵌込部７７が上凹部２０に嵌め込まれ、かつ下嵌込部７８が下凹部２１に嵌め込まれた状態において、上嵌込部７７が上凹部２０に嵌め込まれた状態のまま、下嵌込部７８を下凹部２１から上方に抜き出すことができるように設定されている。
【００４２】
（連結部）
支持部２の上端部には、吊上手段９を着脱可能に連結できる連結部５が設けられている。本実施形態では、上片部３３の中央部に、上方に向かって突出するようにアイボルト５０が取り付けられており、このアイボルト５０が有する環状の部分により、連結部５が構成されている。
【００４３】
（パネル吊具の取付方法）
作業者は、パネル７の上嵌込部７７（上端部）を上凹部２０に嵌め込み、この後、パネル７の下嵌込部７８（下端部）を下凹部２１に嵌め込むことで、パネル吊具１をパネル７に取付けることができる。
【００４４】
具体的にパネル吊具１は、例えば以下に示すようにパネル７に取付けられる。作業者は、まず、図４Ａに示すように、パネル吊具１を、縦板部３０がパネル７の表面側に位置し、かつ上片部３３がパネル７の上方に位置するように配置する。このとき、作業者は、縦板部３０を下方ほどパネル７の表面から前方に離れるように傾斜させた状態で、パネル吊具１を配置する。
【００４５】
続いて作業者は、パネル吊具１を下方に移動し、図４Ｂに示すように上凹部２０に下方からパネル７の上嵌込部７７を嵌め込む。このとき作業者は、パネル７の上端が上片部３３の下面近傍に位置するまで、パネル吊具１をパネル７に対して移動する。
【００４６】
このように、上凹部２０にパネル７の上嵌込部７７を嵌め込むことで、パネル７は、上嵌込部７７及び下嵌込部７８のうち、上嵌込部７７のみが支持部２に嵌め込まれて支持された状態となる。
【００４７】
続いて作業者は、上凹部２０に上嵌込部７７が嵌め込まれた状態を維持しながら、支持部２の下端部を後方に移動させ、これにより、図４Ｃに示すように、縦板部３０をパネル７の表面と平行にすると共に、下凹部２１を下嵌込部７８の下方に配置する。
【００４８】
続いて作業者は、パネル吊具１をパネル７の表面に沿って上方に移動し、下凹部２１に上方からパネル７の下嵌込部７８を嵌め込む。これにより、パネル７は、図２に示すように上嵌込部７７が上凹部２０に嵌め込まれ、かつ下嵌込部７８が下凹部２１に嵌め込まれた取付状態となる。
【００４９】
（吊上手段）
図５に、本実施形態のパネル吊具１及び吊上手段９を用いて、パネル７を吊り上げた状態を示す。図５に示すパネル７には、パネル７の長手方向に複数のパネル吊具１が取り付けられている。
【００５０】
吊上手段９は、複数の第１ワイヤー９１と、天秤９０と、第２ワイヤー９２と、揚重機（図示せず）とを備えている。
【００５１】
複数の第１ワイヤー９１の各々は、一端部が対応するパネル吊具１の連結部５に連結され、他端部が天秤９０に連結されている。これにより、天秤９０は、複数の第１ワイヤー９１を介して複数のパネル吊具１に連結されている。
【００５２】
揚重機は、ウインチやレッカー等で構成され、第２ワイヤー９２を介して天秤９０に連結される。揚重機により、第２ワイヤー９２を介して天秤９０を吊り上げることで、複数の第１ワイヤー９１及び複数のパネル吊具１を介してパネル７が吊り上がる。
【００５３】
なお、パネル吊具１は、吊上手段９に連結された後にパネル７に取り付けられてもよいし、パネル７に取り付けられた後に吊上手段９に連結されてもよい。
【００５４】
（変形例）
以下、変形例１〜９のパネル吊具１について説明する。なお、以下の変形例１〜９の説明では、前記実施形態と共通する構成については同一の符号を付して説明を省略する。
【００５５】
（変形例１）
図６Ａに示す変形例１のパネル吊具１は、下凹部２１の形状が前記実施形態と異なる。本変形例の第２片部３２は、下対向片部３６の上端部から後方に向かって突出した横片部３７と、横片部３７の後端部から上方に向かって突出した差込片部３８とをさらに有している。本変形例の下凹部２１は、縦板部３０の下端部、下片部３５、下対向片部３６、横片部３７、及び差込片部３８によって構成されている。
【００５６】
パネル７において下凹部２１に嵌め込まれる下嵌込部７８は、第１突起８１と被嵌合部７４とを備えている。下凹部２１に下嵌込部７８が嵌め込まれた状態では、差込片部３８は、被嵌合部（凸部）７４と第２突起８２との間に形成された、下方に開口する差込溝７９に配置される。
【００５７】
（変形例２）
図６Ｂに示す変形例２のパネル吊具１は、第２片部３２の形状が前記実施形態と異なる。本変形例の第２片部３２は、下対向片部３６の上端部から後方に突出した横片部３７をさらに有している。また、下片部３５は断面直線状である。
【００５８】
本変形例のパネル吊具１によって吊り上げられるパネル７は、嵌合部（図示せず）がパネル７の上端面に形成された凸部で構成され、被嵌合部７４がパネル７の下端面に形成された凹部で構成されている。
【００５９】
パネル７において下凹部２１に嵌め込まれる下嵌込部７８は、被嵌合部（凹部）７４の前壁部で構成されており、下凹部２１に下嵌込部７８が嵌め込まれた状態では、横片部３７が被嵌合部（凹部）７４の上側の内面に沿って配置される。
【００６０】
（変形例３）
図６Ｃに示す変形例３のパネル吊具１は、縦板部３０がパネル７の裏面に沿って配置された状態で、パネル７に取り付けられる。第２片部３２の下片部３５は、縦板部３０の下端から前方に向かって突出しており、下対向片部３６は下片部３５の前端から上方に向かって突出している。なお、図示は省略するが、第１片部３１の上片部３３は、縦板部３０の上端部から前方に向かって突出し、上対向片部３４は上片部３３の前端部から下方に向かって突出している。
【００６１】
パネル７において下凹部２１に嵌め込まれる下嵌込部７８は、第２突起８２で構成されており、下凹部２１に第２突起８２が嵌め込まれた状態では、下対向片部３６は、被嵌合部（凸部）７４と第２突起８２との間に形成された、下方に開口する差込溝７９に配置される。
【００６２】
（変形例４）
図６Ｄに示す変形例４のパネル吊具１は、縦板部３０がパネル７の裏面に沿って配置された状態で、パネル７に取り付けられる。第２片部３２の下片部３５は、縦板部３０の下端から前方に向かって突出しており、下対向片部３６は下片部３５の前端から上方に向かって突出している。なお、図示は省略するが、第１片部３１の上片部３３は、縦板部３０の上端部から前方に向かって突出し、上対向片部３４は上片部３３の前端部から下方に向かって突出している。
【００６３】
パネル７において下凹部２１に嵌め込まれる下嵌込部７８は、第２突起８２と被嵌合部７４とを備えている。下凹部２１に下嵌込部７８が嵌め込まれた状態では、下対向片部３６は、被嵌合部（凸部）７４と第１突起８１との間に形成された、下方に開口する差込溝８０に配置される。
【００６４】
（変形例５）
図６Ｅに示す変形例５のパネル吊具１は、下凹部２１の前後の内面の間隔が、パネル７の下端部の全体の厚みと略同じである。
【００６５】
パネル吊具１が取付けられるパネル７は、上下方向の全長に亘って厚みが同じであり、パネル７の上端面及び下端面の各々は、平坦である。下凹部２１にはパネル７の下端部における厚み方向の全体の部分が嵌め込まれる。すなわち、本変形例のパネル７は、下端部における厚み方向の全体の部分が下凹部２１に嵌め込まれる下嵌込部７８となっている。
【００６６】
（変形例６）
図７Ａ及び図７Ｂに示す変形例６のパネル吊具１は、移動規制部材６をさらに備えている。移動規制部材６は、パネル７の上嵌込部７７が、上凹部２０に嵌め込まれ、かつ、パネル７の下嵌込部７８が下凹部２１に嵌め込まれた状態において、上凹部２０内においてパネル７の上端部に接して、パネル７が上方に移動することを規制する。
【００６７】
移動規制部材６は、上凹部２０に対して回転可能に連結されている。移動規制部材６は、上片部３３を上下方向に貫通する軸状の規制部６０と、規制部６０と一体に形成された環状の連結部５とを備えている。
【００６８】
連結部５は規制部６０の上端に連続している。連結部５には、前記実施形態の連結部５と同様に、吊上手段９を着脱可能に連結できる。
【００６９】
規制部６０は上片部３３に対して前後軸回り方向に回転可能に連結されている。ここで、前後軸回り方向とは、前後方向と平行な回転軸を中心に回転する方向である。
【００７０】
移動規制部材６は、規制部６０が上片部３３に対して回転することで、その姿勢が、図７Ａに示す規制姿勢と、図７Ｂに示す非規制姿勢とに切り替わる。移動規制部材６が図７Ａに示す規制姿勢にあるとき、規制部６０の長手方向は、上下方向と平行になり、規制部６０の下端面は水平になる。移動規制部材６が図７Ｂに示す非規制姿勢にあるとき、規制部６０の長手方向は、上下方向に対して傾斜し、規制部６０の下端面は、移動規制部材６が規制姿勢にあるときよりも上方に配置される。
【００７１】
作業者がパネル吊具１をパネル７に取り付ける際、移動規制部材６の姿勢は、図７Ｂに示す非規制姿勢とされる。これにより、作業者がパネル吊具１の上凹部２０にパネル７の上嵌込部７７を嵌め込むときには、移動規制部材６が上嵌込部７７に接触し難くなる。また、作業者が上凹部２０に上嵌込部７７を嵌め込んだ状態でパネル吊具１の下凹部２１にパネル７の下嵌込部７８を嵌め込むときにも、移動規制部材６が下嵌込部７８に接触し難くなる。したがって、作業者は、パネル７の上嵌込部７７及び下嵌込部７８を、パネル吊具１の上凹部２０及び下凹部２１のそれぞれに容易に嵌め込むことができる。
【００７２】
上記のように作業者によりパネル吊具１がパネル７に取り付けられた後、パネル７は、パネル吊具１の連結部５に連結された吊上手段９により吊り上げられる。すると、移動規制部材６は、吊上手段９が連結部５を持ち上げる力により、非規制姿勢から図７Ａに示す規制姿勢となる。これにより、上凹部２０内において、規制部６０の下端面がパネル７の上端面に沿い、この規制部６０の下端面によりパネル７の上端部が上方に移動することが規制される。
【００７３】
また、パネル７がパネル吊具１の連結部５に連結された吊上手段９により吊り上げられた状態では、連結部５は吊上手段９によって常に上方に引っ張られた状態となる。このため、吊上手段９によりパネル７を吊り上げた状態においては、移動規制部材６からパネル７に対して下方に押さえる力が常に働くようになる。したがって、パネル７は支持部２に対してがたつき難く、かつパネル吊具１はパネル７から外れ難くなる。
【００７４】
なお、上記では、吊上手段９によりパネル吊具１が持ち上げられるときの力を利用して移動規制部材６が規制姿勢まで回転する例について説明したが、非規制姿勢にある移動規制部材６は作業者が移動規制部材６を直接操作することで、規制姿勢まで回転させてもよい。
【００７５】
（変形例７）
図８Ａ及び図８Ｂに示す変形例７のパネル吊具１は、変形例６の移動規制部材６とは異なる移動規制部材６をさらに備えている。移動規制部材６は、パネル７の上嵌込部７７が、上凹部２０に嵌め込まれ、かつ、パネル７の下嵌込部７８が下凹部２１に嵌め込まれた状態において、上凹部２０内においてパネル７の上端部に接して、パネル７が上方に移動することを規制する。
【００７６】
移動規制部材６は、一方向に延びた軸状の規制部６０と、規制部６０の長手方向の中間部から規制部６０の長手方向と直交する方向に突出したストッパー部６３とを備えている。
【００７７】
支持部２の上片部３３には、移動規制部材６を挿通するための上下方向に貫通した挿通孔６４が形成されている。挿通孔６４は、図９に示すように、規制部６０を挿通するための第１孔部６１と、ストッパー部６３を挿通するための第２孔部６２とを有している。第１孔部６１と第２孔部６２とは連続している。
【００７８】
移動規制部材６は例えば以下のように用いられる。作業者は、上凹部２０にパネル７の上嵌込部７７が嵌め込まれ、かつ下凹部２１にパネル７の下嵌込部７８が嵌め込まれた状態において、図８Ｂに示すように、移動規制部材６の規制部６０を第１孔部６１に上方から差し込む。続いて作業者は、ストッパー部６３が平面視において第２孔部６２と重なるように移動規制部材６を配置した状態で、移動規制部材６を下方に移動し、上凹部２０内において規制部６０の下端面をパネル７の上端面の近傍に配置する、又はパネル７の上端面に当てる。次に作業者は、平面視においてストッパー部６３が第２孔部６２とは重ならない位置となるように移動規制部材６を上下軸回り方向に回転し、これにより図８Ａに示すようにストッパー部６３を上片部３３の下面に沿って配置する。このようにストッパー部６３が上片部３３の下面に沿って配置された状態では、ストッパー部６３が上片部３３の下面に当たることにより、移動規制部材６が上方に移動することが規制される。したがって、パネル７は支持部２に対してがたつき難く、かつパネル吊具１はパネル７から外れ難い。
【００７９】
（変形例８）
図１０Ａに示す変形例８のパネル吊具１は、連結部５（アイボルト５０）が上片部３３の後半部（前後方向の中心よりも後方の部分）に繋がっている。詳しくは、連結部５は、上片部３３の後端部に繋がっている。このように連結部５が上片部３３の後半部に繋がると、以下の理由により、パネル吊具１を吊上手段９で吊り上げた状態で、パネル吊具１の下凹部２１にパネル７の下嵌込部７８を嵌め込むときの作業性が向上する。
【００８０】
仮に図１０Ｂに示すように連結部５が上片部３３の前半部に繋がっていると、パネル吊具１の重心が連結部５よりも後方に位置し、パネル吊具１を吊上手段９で吊り上げた状態では、図１０Ｂに示すように縦板部３０が下方程前方に位置するように傾斜した状態になりやすい。このため、パネル吊具１を吊上手段９で吊り上げた状態で、パネル吊具１の上凹部２０にパネル７の上嵌込部７７を嵌め込んだときには、パネル吊具１の下凹部２１がパネル７の下嵌込部７８から前方に離れやすくなる。したがって、パネル吊具１の下凹部２１にパネル７の下嵌込部７８を嵌め込むときには、例えば作業者はパネル吊具１の縦板部３０を後方に押しながら、吊上手段９にてパネル吊具１を上昇させる必要がある。
【００８１】
これに対して図１０Ａに示す本変形例のように連結部５が上片部３３の後半部に繋がっていると、パネル吊具１の重心が連結部５よりも前方に位置し、パネル吊具１を吊上手段９で吊り上げた状態では、縦板部３０が下方程後方に位置するように傾斜した状態になりやすい。したがって、パネル吊具１を吊上手段９で吊り上げた状態で、パネル吊具１の上凹部２０にパネル７の上嵌込部７７を嵌め込んだ後、パネル吊具１の下凹部２１にパネル７の下嵌込部７８を嵌め込むときには、パネル吊具１の下凹部２１が、パネル７の下嵌込部７８の下方に位置しやすくなり、吊上手段９にてパネル吊具１を上昇させることで、下凹部２１に下嵌込部７８を容易に嵌め込むことが可能になる。
【００８２】
なお、パネル吊具１は、図１０Ｂに示すように連結部５が上片部３３の前半部に繋がっていても構わない。
【００８３】
（変形例９）
図１１に示す変形例９のパネル吊具１は、連結部５を一対有している。図１１に示す例では、上片部３３に上方に突出した連結部材５１が設けられており、この連結部材５１の左右両側部分の各々には、連結部５として下方に開口した溝が形成されている。
【００８４】
このようにパネル吊具１に連結部５を一対設けることにより、例えば一方の連結部５に吊上手段を連結して当該吊上手段９によりパネル吊具１を吊り上げた状態で、他方の連結部５に他の吊上手段９を連結することが可能になる。
【００８５】
（補足）
なお、前記実施形態及び変形例１〜９で説明したパネル吊具１やパネル７は、適宜設計変更可能である。
【００８６】
例えば上凹部２０や下凹部２１の形状は、パネル７の形状に応じて適宜変更可能である。また、支持部２は複数の部材で構成されてもよい。
【００８７】
また、連結部５は環状に限られず、例えばフック状であってもよい。
【００８８】
また、パネル７の芯材７２は、ウレタンフォーム、フェノールフォーム、又はスチレンフォーム等の樹脂発泡材から形成されてもよい。
【００８９】
また、パネル７は、サンドイッチパネルに限られず、窯業系のサイディングや、ＡＬＣパネル、セメント板などであっても構わない。また、パネル７は、天井や床など、壁以外の用途に用いられてもよい。
【００９０】
また、パネル吊具１が取付けられるパネル７は、縦張施工される外壁パネルであってもよい。
【００９１】
また、図５に示す例では、パネル７に複数のパネル吊具１を取り付けているが、パネル７にパネル吊具１を１つだけ取り付け、このパネル吊具１を吊上手段９で吊り上げることで、パネル７を吊り上げてもよい。
【００９２】
（効果）
以上説明した実施形態及び変形例１〜９のパネル吊具１は、以下の特徴を有する。パネル吊具１は、パネル７を支持する支持部２と、支持部２に繋がり、吊上手段９に連結可能な連結部５とを備えている。支持部２は、下方に向かって開口し、パネル７の上端部（上嵌込部７７）が嵌め込まれる上凹部２０と、上方に向かって開口し、パネル７の下端部（下嵌込部７８）が嵌め込まれる下凹部２１とを有している。パネル７の下端部が下凹部２１に嵌め込まれていない状態で、パネル７の上端部が上凹部２０に下方から嵌込可能である。パネル７が、前記上端部が上凹部２０に嵌め込まれたまま、下凹部２１にパネル７の下端部が嵌め込まれていない状態から、下凹部２１にパネル７の下端部が嵌め込まれた状態となる位置まで、支持部２に対して相対的に移動できるように構成されている。以下、この特徴を有するパネル吊具１を、第１の態様のパネル吊具という。
【００９３】
第１の態様のパネル吊具は、パネル７の上端部を上凹部２０に嵌め込んだ後、パネル７の下端部を下凹部２１に嵌め込むことで、容易にパネル７に取り付けることができる。また、この場合、パネル７の上端部及び下端部を、上凹部２０及び下凹部２１にそれぞれ嵌め込んで、パネル吊具１をパネル７に取り付けることができる。また、この場合、パネル吊具１には、例えば従来のようにパネル７の一部を挟み込むような複雑な構造を有する固定手段を設ける必要がなく、パネル吊具１を簡易構造にできる。
【００９４】
また、前記実施形態及び変形例１〜９のパネル吊具は、第１の態様のパネル吊具１の特徴に加えて、以下に示す付加的な特徴を有している。支持部２は、パネル７の厚み方向の一方の面に沿って配置される縦板部３０を有している。縦板部３０の上端部には、上凹部２０が設けられている。縦板部３０の下端部には、下凹部２１が設けられている。以下、この特徴を有するパネル吊具１を、第２の態様のパネル吊具という。
【００９５】
第２の態様のパネル吊具は、支持部２を簡易構造にすることができる。
【００９６】
また、変形例６及び変形例７に示すパネル吊具１は、第１又は第２の態様のパネル吊具の特徴に加えて、以下に示す付加的な特徴を有している。パネル吊具１は移動規制部材６を備えている。移動規制部材６は、パネル７の上端部が、上凹部２０に嵌め込まれ、かつ、パネル７の下端部が、下凹部２１に嵌め込まれた状態において、上凹部２０内でパネル７の上端部に接して、パネル７が上方に移動することを規制することができる。以下、この特徴を有するパネル吊具１を第３の態様のパネル吊具という。
【００９７】
第３の態様のパネル吊具は、パネル７の上端部及び下端部が上凹部２０及び下凹部２１のそれぞれに嵌め込まれた状態にあるとき、移動規制部材６によりパネル７が上方に移動することを規制できる。このため、パネル吊具１に対してパネル７ががたついたり、パネル吊具１がパネル７から外れたりすることが抑制される。
【符号の説明】
【００９８】
１  パネル吊具
２  支持部
２０  上凹部
２１  下凹部
３０  縦板部
５  連結部
６  移動規制部材
７  パネル
７７  上嵌込部
７８  下嵌込部
９  吊上手段
【図１】
0006989249.tif 000002
【図２】
0006989249.tif 000003
【図３】
0006989249.tif 000004
【図４】
0006989249.tif 000005
【図５】
0006989249.tif 000006
【図６】
0006989249.tif 000007
【図７】
0006989249.tif 000008
【図８】
0006989249.tif 000009
【図９】
0006989249.tif 000010
【図１０】
0006989249.tif 000011
【図１１】
0006989249.tif 000012